(57)【特許請求の範囲】
【請求項１】
第１のタイマ時間が設定されたタイマと、
ユーザ操作がされた際、表示をＯＮにするとともに前記タイマを起動させる表示制御手段と、
入力割り込みが受け付けられた際、この入力が前記タイマの満了時間の第１の入力時間前から前記タイマの満了時間から第２の入力時間経過後までの間に設けられた延長入力時間帯に発生した場合、前記タイマに設定されるタイマ時間を、前記第１のタイマ時間より長い第２のタイマ時間に切り替える切替手段と、
入力割り込みが受け付けられた際、前記タイマを再起動する再起動手段と、
前記タイマが満了した際、前記表示をＯＦＦにする停止手段とを備えたことを特徴とする携帯端末。
【請求項２】
前記第１の入力時間は前記第２の入力時間より長いことを特徴とする請求項１記載の携帯端末。
【請求項３】
前記切替手段は、前記携帯端末の電源がＯＦＦにされた場合、前記タイマに前記第１のタイマ時間を設定することを特徴とする請求項１記載の携帯端末。
【請求項４】
前記切替手段は、前記タイマの満了時間から第２の入力時間経過後に、入力割り込みが受け付けらなかった場合、前記タイマに前記第１のタイマ時間を設定することを特徴とする請求項１記載の携帯端末。
【請求項５】
タイマ時間延長の終了の指示の入力を受け付ける受付手段を備え、
前記切替手段は、前記受付手段により指示が受け付けられた場合、前記タイマに前記第１のタイマ時間を設定することを特徴とする請求項１記載の携帯端末。
【発明の詳細な説明】
【技術分野】
【０００１】
本発明は、無操作状態が一定時間経過した場合に表示を停止する機能を有する表示装置を備えた携帯端末に係り、具体的には、無操作状態が一定時間経過する直前または直後に操作がされた場合に、その一定時間を長く設定して表示を延長させる携帯端末に関する。
【背景技術】
【０００２】
携帯電話機やデータ端末等において表示装置として主に液晶ディスプレイが使用されているが、最近では有機ＥＬ（Ｅｌｅｃｔｒｏ  Ｌｕｍｉｎｅｓｃｅｎｃｅ）ディスプレイが備えられた端末も増えてきている。液晶ディスプレイで表示を行う際にはバックライトを点灯させる必要があるため消費電流が大きくなるという問題があった。また、有機ＥＬディスプレイで表示を行う際には特に白色を表示したときに消費電流が大きくなりまた寿命も短くなるという問題があった。
【０００３】
そこで、これらの端末は省電力を実現するために、ユーザの無操作状態が一定時間経過した場合に輝度を１段階下げたり表示を停止したりする機能が備えられている。そしてこの機能が使用される際、無操作状態で表示が継続される時間（表示継続時間）をできるだけ短くすることが省電力や長寿命の観点で望ましいが、ユーザが端末を用いてコンテンツを視聴している場合などのユーザの表示を長時間継続させたい旨の意図を考慮すると、単に表示継続時間を短くするだけではユーザビリティが悪化してしまう恐れがある。
【０００４】
例えば特許文献１では、携帯端末のロック解除時における表示部、バックライトの電力消費を低減することができる携帯端末が提案されている。この携帯端末は、ロック設定時にロック継続時間のカウントを開始し、ロック解除時にカウントを終了してロック継続時間を取得し、ロック継続時間と予め設定されたロック継続時間閾値とを照合するとともに、ロック解除時にキー操作の有無の検出やキー操作までの時間のカウントを行い、ロック解除時における表示部の表示継続時間およびバックライトの点灯時間を、ロック継続時間がロック継続時間閾値以上の場合、または、ロック継続時間閾値未満で所定時間内にキー操作が行われた場合は第１の設定時間に、行われなかった場合は第２の設定時間にそれぞれ制御するものである。
【先行技術文献】
【特許文献】
【０００５】
【特許文献１】特開２００７−３２９５２３号公報
【発明の概要】
【発明が解決しようとする課題】
【０００６】
無操作状態が一定時間経過したときに表示を停止させる機能を備えた携帯端末において、その表示継続時間は予め決められている場合が多く、表示停止前にユーザが操作キーを押すなどの操作を行うと表示が継続され、また表示停止後に操作を行うと表示再開するような実装が一般的に行われている。１回の操作による表示継続時間が短い場合には、表示画面の輝度が頻繁に変更されたり表示が停止されたりするため、ユーザが携帯端末での視聴を長時間継続したい場合に、その度にユーザが何らかの操作を行わなければならなくなる。一方、表示継続時間が長い場合には、ユーザが表示を再開するための操作を少なくできるが、携帯端末の省電力や表示装置の長寿命の観点からは好ましくない。
【０００７】
静的に表示継続時間が固定されていると状況に応じて臨機応変に表示継続時間を変更することが困難であるになってしまう。また、ユーザが自ら表示継続時間を設定できる場合でも、状況毎に設定を切り替えるのは非常に面倒である。よって、携帯端末において、ユーザによる簡単な操作で表示継続時間が適切に切り替えられることが望ましい。
【０００８】
本発明は、上記課題を鑑みてなされてものであり、表示継続時間（無操作状態で表示が継続される時間）が予め短い値に設定されていても、ユーザによる簡単な操作でこの表示継続時間を通常より長く設定しつつ表示を延長させて継続させることにより、ユーザは少ない操作で表示を長時間継続させることができ、ユーザビリティを損なわずに省電力及び表示装置の長寿命を実現することができる携帯端末を提供することを目的とする。
【課題を解決するための手段】
【０００９】
上記課題を解決するために、本発明に係る携帯端末は第１のタイマ時間が設定されたタイマと、ユーザ操作がされた際、表示をＯＮにするとともに前記タイマを起動させる表示制御手段と、入力割り込みが受け付けられた際、この入力が所定時間帯に発生した場合、前記タイマに設定されるタイマ時間を、前記第１のタイマ時間より長い第２のタイマ時間に切り替える切替手段と、入力割り込みが受け付けられた際、前記タイマを再起動する再起動手段と、前記タイマが満了した際、前記表示をＯＦＦにする停止手段とを備えたことを特徴とする。
【発明の効果】
【００１０】
本発明に係る携帯端末によると、表示継続時間（無操作状態で表示が継続される時間）が予め短い値に設定されていても、ユーザによる簡単な操作でこの表示継続時間を通常より長く設定しつつ表示を延長させて継続させることにより、ユーザは少ない操作で表示を長時間継続させることができ、ユーザビリティを損なわずに省電力及び表示装置の長寿命を実現することが可能となる。
【図面の簡単な説明】
【００１１】
【図１】本発明に係る携帯端末（携帯電話機）の開いた状態を示す斜視図。
【図２】本発明に係る携帯端末（携帯電話機）の機能を示すブロック図。
【図３】（Ａ）及び（Ｂ）は、本発明に係る携帯端末（携帯電話機）における表示延長処理を説明するための図。
【図４】延長入力時間帯を説明するための図。
【図５】本発明に係る携帯端末（携帯電話機）が表示延長処理を行う際の手順を示すフローチャート。
【図６】本発明に係る携帯端末（携帯電話機）がタイマ監視処理を行う際の手順を示すフローチャート。
【発明を実施するための形態】
【００１２】
本発明に係る携帯端末の実施形態について、添付図面を参照しながら説明する。本発明の実施形態として、複数の筐体が開閉自在に結合されてなるスライド型の携帯電話機１を例にあげて説明する。図１は、携帯電話機１の開いた状態を示す斜視図である。
【００１３】
携帯電話機１は、図１に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０と下筐体１１は、図１のＸ方向に所定長さだけ相互にスライド自在なように結合されている。携帯電話機１は、上筐体１０と下筐体１１とを相互にスライドさせて位置関係を変更することにより、閉じた状態から開いた状態に、あるいは開いた状態から閉じた状態に変形する。
【００１４】
上筐体１０の外面（下筐体１１に対面しない側の面）には、データを表示するためのディスプレイ１２、音声を出力するためのレシーバ１３、音声を入力するためのマイクロフォン１４が設けられている。また、下筐体１１の内面（上筐体１０に対面する側の面）には、データを入力するための複数の操作キー１５が設けられている。
【００１５】
図２は、携帯電話機１の機能を示すブロック図である。図２に示すように、携帯電話機１は、主制御部２０、電源回路部２１、操作入力制御部２２、表示制御部２３、音声制御部２４、通信制御部２５、及び記憶部２６がバスによって相互に通信可能に接続されて構成されている。
【００１６】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する表示延長処理やタイマ監視処理、その他の様々な演算処理や制御処理等を行う。電源回路部２１は、電源供給源（バッテリ等）を備え、所定の操作キー１５（例えば電源キー）を介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１７】
操作入力制御部２２は操作キー１５に対する入力インタフェースを備え、操作キー１５のいずれかが押下されたことを検知すると、その押下された操作キー１５を示す信号を生成して主制御部２０に伝送する。信号を受信した主制御部２０は、この信号に基づいて処理を行う。表示制御部２３はディスプレイ１２に対する表示インタフェースを備え、主制御部２０の制御に基づいて、データをディスプレイ１２に表示する。
【００１８】
音声制御部２４は、主制御部２０の制御に基づいて、マイクロフォン１４で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１３から音声として出力する。
【００１９】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１３から出力されたり、表示制御部２３に伝送されてディスプレイ１２に表示されたり、または記憶部２６に記録されたりする。また通信制御部２５は、主制御部２０の制御に基づいて、マイクロフォン１５で集音された音声データや操作キー１４を介して入力されたデータや記憶部２６に記憶されたデータを取得すると、これらのデータに対してスペクトラム拡散処理を行い、基地局に対してアンテナ２５ａを介して送信する。
【００２０】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する表示延長処理やタイマ監視処理を行う際の処理プログラムは、例えばＲＯＭに記憶されているものとする。
【００２１】
従来、無操作時のディスプレイの表示継続時間は予め決められており、ユーザが操作を行わない状態でその表示継続時間分の表示が行われたタイミングで表示がＯＦＦとなり、ユーザが再度表示をＯＮしたい場合には何らかの入力操作を行うのが一般的であった。そのような携帯端末では、ユーザがコンテンツを視聴している最中などにその決められた表示継続時間が経過して表示がＯＦＦとなったときにユーザが継続してコンテンツを見たい場合には、操作キーを押下するなどして再び表示装置をＯＮに戻す操作を行う必要があった。しかし、その操作を行った後に同様に決められた表示継続時間が経過すると再び表示がＯＦＦになってしまう。
【００２２】
携帯電話機１も従来のように、ユーザ操作がされると表示タイマを開始させてディスプレイにおいて表示処理を開始するとともに、タイマ満了時にディスプレイにおける表示処理を停止させる。一般的に携帯端末において最も多く電力を消費する処理は表示処理であるため、ユーザによりディスプレイが視認されていない間はディスプレイの表示処理を停止しておくことが望ましいからである。
【００２３】
一方で、ディスプレイにおける表示処理が行われている間、所定時間操作が行われないと表示が停止されてしまうため、表示処理を継続させるためにユーザが意図的に入力割り込みを行って、表示タイマを延長させる場合もある。この場合には、ユーザが携帯端末を用いた何らかの作業を行っていることが考えられ、比較的長時間、ディスプレイを視認している可能性が高い。
【００２４】
そこで携帯電話機１は、ユーザ操作による入力割り込みによりディスプレイ１２の表示タイマの延長の指示があった場合、タイマ時間（すなわち表示継続時間）を前回より長く設定する機能を備えている。図３（Ａ）及び図３（Ｂ）は、携帯電話機１における表示延長処理について説明するための図である。
【００２５】
図３（Ａ）に示すように、携帯電話機１は、ディスプレイ１２の表示ＯＦＦ状態においてユーザ操作を検出すると、ディスプレイ１２の表示をＯＮにする。そして、携帯電話機１の無操作状態が第１の設定時間（第１のタイマ時間）経過すると表示ＯＦＦ状態に移行する。また携帯電話機１は、ディスプレイ１２の表示がＯＦＦに移行する直前または直後（延長入力時間帯）において、ユーザ操作を検出した場合には、表示継続時間を延長して、第１の設定時間より長い第２の設定時間（第２のタイマ時間）だけ表示をＯＮにする。
【００２６】
例えば、ユーザ操作があって表示がＯＮにされるとそのまま表示が継続され、そのユーザ操作の時間Ｔｉ−１から第１の設定時間経過後の時間Ｔｏｕｔに表示が停止される。しかしながら、第１の設定時間経過後の時間Ｔｏｕｔを含んだ延長入力時間帯にユーザ操作がされて入力割り込みが発生すると、第１の設定時間経過後の時間Ｔｏｕｔから第２の設定時間経過後の時間Ｔｏｕｔまで表示が継続される。
【００２７】
同様に、図３（Ｂ）に示すように、また携帯電話機１は、１回目の入力割り込みがあって第２の設定時間だけ表示継続時間が延長した場合に、再びディスプレイ１２の表示がＯＦＦに移行する直前または直後（延長入力時間帯）において、ユーザ操作を検出した場合には、表示継続時間を更に延長して、第２の設定時間より長い第３の設定時間だけ表示をＯＮにする。
【００２８】
例えば、１回目の入力割り込みの時間Ｔｉ−１から第２の設定時間経過後の時間Ｔｏｕｔに表示が停止される。しかしながら、第２の設定時間経過後の時間Ｔｏｕｔを含んだ延長入力時間帯に再びユーザ操作がされて入力割り込みが発生すると、第２の設定時間経過後の時間Ｔｏｕｔから更に第３の設定時間経過後の時間Ｔｏｕｔまで表示が継続される。
【００２９】
図４は、延長入力時間帯を説明するための図である。図４に示すように、延長入力時間帯は、表示タイマが満了する予定の時間であるタイマ満了時間（すなわち表示継続時間の経過後の時間）Ｔｏｕｔから時間ａ（第１の入力時間）だけ遡った時間Ｔｏｕｔ−ａ（ａは例えば１秒）から、タイマ満了時間Ｔｏｕｔから時間ｂ（第２の入力時間）だけ進んだ時間Ｔｏｕｔ＋ｂ（ｂは例えば３秒）までの間である。通常、ユーザ操作が検出された場合には、表示継続時間に第１の設定時間が設定されるが、延長入力時間帯においてユーザ操作が検出された場合には、第１の設定時間より長い設定時間である第２の設定時間や第３の設定時間などが表示継続時間として設定される。
【００３０】
このように携帯電話機１は、最後の入力から表示継続時間が経過する直前または直後に入力が発生した場合は、ユーザが更に継続してコンテンツを視聴したいことを意図していると判断し、延長された表示継続時間（第２の設定時間）は予め決められた表示継続時間（第１の設定時間）よりも長く設定されるようにするものである。
【００３１】
具体例を言うと、ディスプレイ１２の表示継続時間が１０秒に設定されていた場合、最後のユーザ操作から１０秒経過する直前または直後でユーザが何らかの操作を行った場合は次の表示継続時間は１０秒ではなく例えば２０秒とし、その２０秒が経過する前後でもう一度ユーザ操作がされた場合は、次の表示継続時間は４０秒になるようにする。こうすることで、例えばユーザが６０秒のコンテンツを視聴しようとしているときに、従来の携帯端末では５回のユーザ操作が必要であったのに対して、表示継続時間を長く設定させることにより２回のユーザ操作しか必要としない。
【００３２】
また、例えば、最後のユーザ操作が発生してから表示ＯＦＦまたは輝度を暗くするまでの表示継続時間を１０秒とし、この１０秒の前後１秒（つまり９〜１１秒の間）に行われたユーザ操作をより長い表示を求めるためのユーザ操作として扱うとしたときに、ここで例に挙げた１秒はシステム固有値として決められていても良いし、ユーザが設定できるようにしても良い。また、タイマ時間が満了する直前の時間と直後の時間がそれぞれ異なっても良い。例えば直前の時間は０秒、直後の時間は２秒として１０秒〜１２秒の間に発生したユーザ操作をユーザが更に延長してコンテンツを視聴するために行われたユーザ操作として扱っても良い。
【００３３】
ここで、携帯電話機１においてユーザ操作による入力割り込みがあった場合に、携帯電話機１がこのユーザ操作のタイミングに基づいて表示継続時間を延長させる表示延長処理を行う際の手順について、図５に示すフローチャートに基づいて説明する。
【００３４】
まず主制御部２０は、ユーザ操作による入力割り込みがあったか否かを判断する（Ｓ１０１）。この際、例えばユーザにより操作キー１５が押下された場合、ディスプレイ１２がタッチパネルであるときにはディスプレイ１２における接触を検知した場合、携帯電話機１がモーションセンサを備えているときには振動を検出した場合などに、入力割り込みがあったものと判断される。入力割り込みがない場合（Ｓ１０１のＮｏ）は、主制御部２０はそのまま待機する。
【００３５】
入力割り込みがあった場合（Ｓ１０１のＹｅｓ）は、主制御部２０は、表示タイマが起動しているかを判断する（Ｓ１０３）。携帯電話機１が表示ＯＮ状態である間は表示タイマが動作している。表示タイマが動作している場合（Ｓ１０３のＹｅｓ）は、主制御部２０はその表示タイマを停止させる（Ｓ１０５）。
【００３６】
主制御部２０は現在時刻を取得して（Ｓ１０７）、この現在時刻を時間Ｔｉとする。そして主制御部２０は、下記の（１）式に示すように、前回ユーザ操作された時間Ｔｉ−１から今回ユーザ操作された時間Ｔｉまでのディスプレイ１２の無操作時間Ｔｉ−Ｔｉ−１が、第１の閾値以上かつ第２の閾値以下であるか否かを判断する（Ｓ１０９）。ここで、第１の閾値は、ユーザ操作されてから表示継続時間の経過後の時間Ｔｏｕｔから時間ａ（例えば３秒）の分だけ遡った時間Ｔｏｕｔ−ａである。第２の閾値は、ユーザ操作されてから表示継続時間の経過後の時間Ｔｏｕｔから時間ｂ（例えば５秒）の分だけ進んだ時間Ｔｏｕｔ＋ｂである。
【００３７】
〔数１〕
Ｔｏｕｔ−ａ＜Ｔｉ−Ｔ(ｉ−１)＜Ｔｏｕｔ＋ｂ      ……（１）
ディスプレイ１２の無操作時間Ｔｉ−Ｔｉ−１が第１の閾値以上かつ第２の閾値以下であった場合（Ｓ１０９のＹｅｓ）は、主制御部２０は、ステップＳ１０１における操作が、ユーザにより表示継続時間を延長するために意図的された操作であるものと判断し、表示タイマの満了値、すなわち表示継続時間を変更する。例えば、表示継続時間に第１の設定時間が設定されていた場合には、この表示継続時間を、第１の設定時間より長い第２の設定時間に変更する。
【００３８】
主制御部２０は、表示タイマを起動させる（Ｓ１１１）。また主制御部２０は、現在表示ＯＮ状態か否かを判断する（Ｓ１１３）。表示ＯＦＦ状態であった場合（Ｓ１１３のＹｅｓ）は、主制御部２０はディスプレイ１２の表示をＯＮにする（Ｓ１１５）。
【００３９】
このようにして携帯電話機１は、ユーザ操作による入力割り込みがあったときに、その操作が延長入力時間帯に発生した場合に、表示継続時間を長く設定しつつ表示を延長させる。これにより、ユーザが携帯電話機１において長時間表示を継続させたい場合に、そのための操作を軽減させることができる。
【００４０】
例えばユーザが携帯電話機１で動画などのコンテンツを閲覧している場合などに、表示継続時間が終了する前後の時間帯に、ユーザからの簡単な操作（例えば操作キー１５の押下）によってディスプレイ１２の表示継続時間を動的に変更できるようにすることで、ユーザの状況に応じた表示継続時間の制御が行われる。また、動的に設定時間を長く設定できるようにすることで、携帯電話機１のデフォルトの表示継続時間（第１の設定時間）をできるだけ短く設定することが可能となるため、省電力やディスプレイ１２の寿命の観点でもメリットが生じる。
【００４１】
次に、携帯電話機１が表示タイマの満了時に行う処理について、図６に示すフローチャートに基づいて説明する。
【００４２】
携帯電話機１は、表示を行っている間、無操作状態が一定時間（表示継続時間）継続したら表示を停止させるために表示タイマを動作させている。この表示タイマは、ユーザにより携帯電話機１が操作されるたびに起動されるので、表示が行われている間は常時動作している。主制御部２０は、表示タイマが満了したか否かを判断する（Ｓ２０１）。表示タイマが満了していない場合（Ｓ２０１のＮｏ）は、主制御部２０は、表示タイマが満了するまで待機する。
【００４３】
表示タイマが満了した場合（Ｓ２０１のＹｅｓ）は、主制御部２０は、無操作状態が一定時間を超えて継続したので、表示タイマを停止させる（Ｓ２０３）。また、主制御部２０は、携帯電話機１を表示ＯＦＦ状態に移行させる（Ｓ２０５）。
【００４４】
このようにして、携帯電話機１は逐次表示タイマの状態を監視し、表示タイマが満了したところで、表示ＯＦＦ状態に移行する。これにより、省電力・ディスプレイ１２の長寿命が実現されている。
【００４５】
なお、ディスプレイ１２の切替が表示ＯＮ／ＯＦＦの２段階だけでなく、輝度が複数段階ある場合、表示継続時間が輝度によらず一律の値で決められていても良く、輝度ごとに異なる値で決められていても良い。このときに、ディスプレイ１２が所定の輝度で表示を行っているときに無操作状態がその輝度に対応する表示継続時間だけ経過した場合、通常ならディスプレイ１２はその輝度より一段階暗い輝度で表示を行うことになるが、所定の輝度の表示継続時間が経過する直前または直後で入力が行われた場合には、その輝度での表示を継続してその表示継続時間を長く設定して表示を行うようにすると良い。
【００４６】
また、表示継続時間（すなわち、上述した第１の設定時間、第２の設定時間、第３の設定時間、設定時間ａ、時間ｂなど）は、システム固定の値であっても良いし、ユーザによって設定可能なものであっても構わない。
【００４７】
また、新たに設定された表示継続時間（第２の設定時間や第３の設定時間など）が無操作状態で経過し、表示延長のための入力期間（延長入力時間帯）を超えても入力が無かった場合には、ディスプレイ１２の表示継続時間はデフォルトの表示継続時間（第１の設定時間）に設定されるものとする。
【００４８】
また、ユーザが意図的に表示をＯＦＦする場合（例えば、クラムシェル型の端末を閉じた場合や、電源キーを押してサスペンドに入るような場合）においても、ディスプレイ１２の表示継続時間はデフォルトの表示継続時間（第１の設定時間）に設定されるものとする。あるいは、表示継続時間を元に戻すための入力方法を定義しておき、その入力方法によってディスプレイ１２の表示継続時間をデフォルトの表示継続時間（第１の設定時間）に戻すようにしても良い。
【００４９】
また、ユーザが携帯電話機１における表示を継続させたいときに、表示が停止した直後に操作を行う場合にはユーザが即座に操作を行うことができるが、表示が停止する直前に操作を行う場合においては、ユーザがタイマ時間の満了時間を正確に推測できないため満了時間よりだいぶ早めに操作を行ってしまう恐れがある。これを考慮して、表示継続時間の直前の延長入力時間帯となる時間ａが、表示継続時間の直後の延長入力時間帯となる時間ｂより長くなるように設定されると良い。
【００５０】
本発明に係る携帯端末（携帯電話機１）によると、表示継続時間（無操作状態で表示が継続される時間）が予め短い値に設定されていても、ユーザによる簡単な操作でこの表示継続時間を通常より長く設定しつつ表示を延長させて継続させることにより、ユーザは少ない操作で表示を長時間継続させることができ、ユーザビリティを損なわずに省電力及び表示装置の長寿命を実現することが可能となる。
【００５１】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、ＭＩＤ（Ｍｏｂｉｌｅ  Ｉｎｔｅｒｎｅｔ  Ｄｅｖｉｃｅ）、携帯音楽プレイヤー、携帯ビデオカメラ、携帯ゲーム機等、節電機能を有する表示装置を備えている通信端末であれば、任意の通信端末であっても良い。
【符号の説明】
【００５２】
１…携帯電話機，１０…上筐体，１１…下筐体，１２…ディスプレイ，１２ａ…画面，１３…スピーカ，１４…マイクロフォン，１５…操作キー，２０…主制御部，２１…電源回路部，２２…操作入力制御部，２３…表示制御部，２４…音声制御部，２５…通信制御部，２５ａ…アンテナ，２６…記憶部。
【図１】
0005397244.tif 000002
【図２】
0005397244.tif 000003
【図３】
0005397244.tif 000004
【図４】
0005397244.tif 000005
【図５】
0005397244.tif 000006
【図６】
0005397244.tif 000007